(57)【特許請求の範囲】
【請求項１】
環状体を軸方向に半割した形状の一対の磁性体と、一方の半割磁性体を格納した固定側ケース部と、他方の半割磁性体を格納した可動側ケース部と、これ等固定側ケース部、可動側ケース部の後壁に突設してその基端個所を相互に軸承した固定側柄部および可動側柄部と、これ等固定側柄部、可動側柄部の先端寄りの内側面部の間に、上記内側面部に両端が圧接した状態として、且つ手放し状態のときには固定側ケース部内の半割磁性体の分割面に対して可動側ケース部内の半割磁性体の分割面が圧接した閉じ状態を形成すると共に、固定側柄部に近付けるべく可動側柄部を引き絞ったときには離れた開き状態を形成するようにして挟み設けた円錐コイルバネと、上記固定側柄部の内側面部において、上記円錐コイルバネの一端の圧接個所を通り、且つ内端が固定側ケース部内に開放すると共に、外端が固定側柄部の先端個所の側縁に開放した状態として設けた嵌め通し用溝と、上記固定側ケース部および可動側ケース部の端壁から径方向に突出して設けられた弾性片と、上記弾性片の先端部に設けられ、上記半割磁性体の内周壁面に形成された凹溝と係合しうる脱落防止用爪と、上記固定側ケース部および可動側ケース部の内側に設けられた被測定線路の貫通用切欠と、上記磁性体に巻き止めた電流検出用コイルと、電流検出用コイルの両端に接続した負荷抵抗と、負荷抵抗に発生した電圧を取り出すように接続された基端部分を上記嵌め通し用溝に嵌着されたシールドが施された出力線路とを備えたことを特徴とする電流検出装置。
【請求項２】
固定側柄部と可動側柄部の基端個所の軸承を支壁を介して設けた左右一対の軸ピンと軸孔との嵌着により行う構成とし、各軸ピン先端面を傾斜面として当該軸ピンの軸孔に対する嵌着を同傾斜面を使って滑り入れるようにして成ることを特徴とする請求項１記載の電流検出装置。
【請求項３】
出力線路の嵌め通し用溝の外端側を左右向きに開放する二叉として成ることを特徴とする請求項１記載の電流検出装置。
【発明の詳細な説明】
【０００１】
【発明の属する技術分野】
本発明は、被測定線路を切断することなく当該被測定線路に流れている電流を検出することのできる、被測定線路への着脱を極めて容易にした電流検出装置に関する。
【０００２】
【従来の技術】
従来、実用新案登録第２５５１８０３号公報によって、磁性体およびケースを半割形状とし、検出に使用するときに環状に戻して被測定線路に被せ嵌めると共に当該戻し状態を係合爪の係止により維持して行い、検出完了後に係合爪の係止を解除して被測定線路から外す形式の雑音吸収具が開示されている。
【０００３】
【発明が解決しようとする課題】
上記形式の雑音吸収具は、上記において述べたように、被測定線路に対して着脱する操作には、係合爪の掛け外し作業が必要であって、作業性が悪く簡便性に劣るものである等の致命的な欠陥があった。
【０００４】
本発明は、上記欠陥を解消することを第１の目的とし、この第１の目的を達成しつつ更に構成および組立を簡略化することおよび使用し易くすることを第２の目的とするものである。
【０００５】
【課題を解決するための手段】
上記第１および第２の目的を達成するために本発明に係る電流検出装置は、環状体を軸方向に半割した形状の一対の磁性体と、一方の半割磁性体を格納した固定側ケース部と、他方の半割磁性体を格納した可動側ケース部と、これ等固定側ケース部、可動側ケース部の後壁に突設してその基端個所を相互に軸承した固定側柄部および可動側柄部と、これ等固定側柄部、可動側柄部の先端寄りの内側面部の間に、上記内側面部に両端が圧接した状態として、且つ手放し状態のときには固定側ケース部内の半割磁性体の分割面に対して可動側ケース部内の半割磁性体の分割面が圧接した閉じ状態を形成すると共に、固定側柄部に近付けるべく可動側柄部を引き絞ったときには離れた開き状態を形成するようにして挟み設けた円錐コイルバネと、上記固定側柄部の内側面部において、上記円錐コイルバネの一端の圧接個所を通り、且つ内端が固定側ケース部内に開放すると共に、外端が固定側柄部の先端個所の側縁に開放した状態として設けた嵌め通し用溝と、上記固定側ケース部および可動側ケース部の端壁から径方向に突出して設けられた弾性片と、上記弾性片の先端部に設けられ、上記半割磁性体の内周壁面に形成された凹溝と係合しうる脱落防止用爪と、上記固定側ケース部および可動側ケース部の内側に設けられた被測定線路の貫通用切欠と、上記磁性体に巻き止めた電流検出用コイルと、電流検出用コイルの両端に接続した負荷抵抗と、負荷抵抗に発生した電圧を取り出すように接続された基端部分を上記嵌め通し用溝に嵌着されたシールドが施された出力線路とを備えたものであり、そして、固定側柄部と可動側柄部の基端個所の軸承を支壁を介して設けた左右一対の軸ピンと軸孔との嵌着により行う構成とし、各軸ピン先端面を傾斜面として当該軸ピンの軸孔に対する嵌着を同傾斜面を使って滑り入れるようにして成るものであり、また、出力線路の嵌め通し用溝の外端側を左右向きに開放する二叉として成るものである。
【０００６】
【実施例】
図に示す実施例は、僅かの弾性を備えた硬質プラスチックを以て両端面を左右端壁１、２により閉塞した半円筒形を呈する固定側ケース部３と両端面を左右端壁４、５により閉塞した半円筒形を呈する可動側ケース部６とを構成し、固定側ケース部３の後壁部の外に後方に向って伸びた固定側柄部７を、また可動側ケース部６の後壁部の外に後方に向って伸びた可動側柄部８をそれぞれ一体に設けると共に固定側ケース部３および可動側ケース部６の左右端壁１、２、４、５の中央位置に半円形状を呈する被測定線路１１の貫通用切欠９、１０を設け、これ等切欠９、１０の切縁に１対の切込１２、１３を設けて当該切込間を弾性片１４とし、各弾性片１４の先端部の内面に脱落阻止用爪１５を突設すると共に固定側ケース部３および可動側ケース部６の底面壁の中央にＵ字形状の切線１７、１８を設けてこれ等切線１７、１８により囲まれた個所を弾性片１９とし、各弾性片１９の先端部の内面に押圧用突起２０を突設する。
【０００７】
上記固定側柄部７の基端部内面に左右一対の内側支壁２２、２３を、可動側柄部８の基端部内面に左右一対の外側支壁２４、２５をそれぞれ突設し、内側支壁２２、２３の先端部の外面に軸ピン２６、２７を、外側支壁２４、２５の先端部に軸孔２８、２９をそれぞれ設け、各軸ピン２６、２７の先端面を当該先端面における内側支壁２４、２５の先端に近い方の縁辺が同軸ピン２６、２７の基端に近接する傾斜面３１とし、固定側ケース部３と可動側ケース部６の開口面同士および固定側柄部７と可動側柄部８の内側面同士を対向させた状態においてこれ等ケース部３、６およびこれ等柄部７、８に接近させる方向への押圧力を加えたときに外側支壁２４、２５の先端縁が軸ピン２６、２７の先端傾斜面３１に案内されて一時的に外方に逃げてから戻る動作を行うことによって軸ピン２６、２７と軸孔２８、２９とを嵌合状態とし、この嵌合状態において固定側柄部７の先端部と可動側柄部８の先端部を近付けた場合には固定側ケース部３の開口面と可動側ケース部６の開口面とが離れた開き状態を、遠避けた場合にはこれ等両開口面が閉じ状態をそれぞれ呈するようにすると共に可動側ケース部６の上記貫通用切欠１０の近傍には、閉じ状態となる直前から固定側ケース部３に接して正しい閉じ位置に案内する一対のガイド突起３２、３３を設け、更に固定側柄部７の内側面と可動側柄部８の内側面と間に円錐コイルバネ３４を挟入してこれ等柄部７、８の両内側面に同コイルバネ３４の両端を圧接させて上記閉じ状態への戻り力を両柄部７、８に賦与すると共にこれ等両柄部７、８の内側面においてコイルバネ３４の両端の圧接個所を囲繞する線上に位置ズレ阻止用突壁３５、３６を、また固定側柄部７の内側面に円錐コイルバネ３４の一端の圧接個所を通る嵌め通し用溝３８をそれぞれ設け、この嵌め通し用溝３８の内端５６を固定側ケース部３内に向って開放させて配置すると共に外端５７、５７を固定側柄部７の先端５３の側縁５４、５４に外方に向って開放するように配置することによってクリップ状体３９を構成する。
【０００８】
図７及び図8に示すように、環状体を軸方向に半割した形状の一対の磁性体は、一方の半割磁性体であるコア片４１と、他方の半割磁性体であるコア片４2とからなり、上記一方の半割磁性体であるコア片４１と上記他方の半割磁性体であるコア片４2とが当接して形成された環状体から成る磁性体44の内周壁面の円周中央位置に対向するように、上記半割磁性体４２，４３の夫々の径方向中央部には凹溝５５、５５が形成されている。
【０００９】
上記クリップ状体３９とは別個に、半円形を呈する一対のコア片（磁性体片）４１、４２の両端面を密着自在の状態とし且つこれ等コア片４１、４２の外周表面を一枚の導電金属箔４３により被包してＶ字状に開閉自在に連結した状態とすることによって環状磁性体４４を構成し、この環状磁性体４４に電流検出用コイル４５を巻き回し、このコイル４５の両端４６、４７間に負荷抵抗４８を接続すると共に同コイル４５の両端にコネクタ４９付き同軸ケーブル製出力線路５０を接続することによって電流検出回路５１を構成し、これを上記クリップ状体３９に対して次のようにして組込んで完成品５２を得たものである。
【００１０】
すなわち、軸ピン２６、２７と軸孔２８、２９を嵌合させる前の分解の状態のうちに固定側ケース部３および可動側ケース部６に環状磁性体４４を嵌着しまた出力線路５０の基端部を嵌め通し用溝３８に嵌着し、これ等嵌着の状態を維持したままで円錐コイルバネ３４の挟入操作および軸ピン２６、２７と軸孔２８、２９の嵌着操作を行うことによって完成する。
【００１１】
【発明の効果】
本発明に係る電流検出装置は、上記のように環状体を軸方向に半割した形状の一対の磁性体と、一方の半割磁性体を格納した固定側ケース部と、他方の半割磁性体を格納した可動側ケース部と、これ等固定側ケース部、可動側ケース部の後壁に突設してその基端個所を相互に軸承した固定側柄部および可動側柄部と、これ等固定側柄部、可動側柄部の先端寄りの内面個所間に同内面個所に両端が圧接した状態として且つ手放し状態のときには固定側ケース部内の半割磁性体の分割面に対して可動側ケース部内の半割磁性体の分割面が圧接した閉じ状態をまた固定側柄部に近付けるべく可動側柄部を引き絞ったときには離れた開き状態を形成するようにして挟み設けた円錐コイルバネと、固定側柄部の内側面に円錐コイルバネの一端の圧接個所を通る状態および内端が固定側ケース部内に開放し外端が固定側柄部の先端個所の側縁に開放した状態として設けた嵌め通し用溝と、固定側ケース部および可動側ケース部の端壁に設けられた半割磁性体の内周壁面に形成された凹溝と連通する被測定線路の貫通用切欠と、上記磁性体に巻き止めた電流検出用コイルと、電流検出用コイルの両端に接続した負荷抵抗と、負荷抵抗に発生した電圧を取り出すように接続された基端部分を上記嵌め通し用溝に嵌着されたシールドの出力線路とを備えたことを特徴とするので、被測定線路に装着する場合には、可動側柄部をバネの作用力に抗して固定側柄部に近付けるべく引き絞ることによって可動側ケース部内の磁性体の分割面と固定側ケース部内の磁性体の分割面との間を開いた状態とし、この開いた所へ被測定線路を挟み込んでから上記引き絞り力を解放することにより上記両分割面が圧接した閉じ状態すなわち両磁性体が環状を呈する状態とすることによって当該環状磁性体の中を同線路が貫通した状態とし、この貫通状態において電流検出の本作業を行い、そして当該本作業の完了後に上記貫通状態とする操作を逆に行うことによって被測定線路から外して終了する等の用法で使用するものであって、検出の作業性がよく簡便性に優れているものであり、特に本発明において円錐コイルバネは、押し潰したときには薄くなるので、可動側柄部をバネの作用力に抗して固定側柄部に近付けるべく引き絞った場合には可動側ケース部内の磁性体の分割面と固定側ケース部内の磁性体の分割面との間の開き量を大きくして被測定線路の挟み込みも外しも容易にすると共に嵌め通し用溝に嵌着された出力線路を押え止めて同線路の固定用パーツたとえば押止部材やビス等をいらなくするものであり、また固定側柄部と可動側柄部の基端個所の軸承を支壁を介して設けた左右一対の軸ピンと軸孔との嵌着により行う構成とし、各軸ピン先端面を傾斜面として当該軸ピンの軸孔に対する嵌着を同傾斜面を使って滑り入れるようにしてあり且つ円錐コイルバネを挟み込んで止めるようにしてあるので、全体として組立が容易で生産がよいものであり、更に本発明においては出力線路の嵌め通し用溝の外端側を左右向きに開放する二叉としたので、出力線路が検出作業中にジャマとならないようにその出し方向を左もしくは右に決めることができて使い勝手がよいものである。
【図面の簡単な説明】
【図１】全体を示す側面図である。
【図２】同じく平面図である。
【図３】同じく一部切截正面図である。
【図４】同じく一部切截背面図である。
【図５】図１Ａ−Ａ線に沿う断面図である。
【図６】図２Ｂ−Ｂ線に沿う断面図である。
【図７】図２Ｃ−Ｃ線に沿う断面図である。
【図８】同じく一部切截分解側面図である。
【図９】柄を引き絞った状態を示す断面図である。
【図１０】電気的部分の基本回路構成図である。
【符号の説明】
１、２ 左右端壁
３ 固定側ケース部
４、５ 左右端壁
６ 可動側ケース部
７ 固定側柄部
８ 可動側柄部
９、１０ 切欠
１１ 被測定線路
１２、１３ 切込
１４ 弾性片
１５ 脱落阻止用爪
１７、１８ 切線
１９ 弾性片
２０ 押圧用突起
２２、２３ 内側支壁
２４、２５ 外側支壁
２６、２７ 軸ピン
２８、２９ 軸孔
３１ 傾斜面
３２、３３ ガイド突起
３４ 円錐コイルバネ
３５、３６ 位置ズレ阻止用突壁
３８ 嵌め通し用溝
３９ クリップ状体
４１、４２ コア片
４３ 金属箔
４４ 環状磁性体
４５ 電流検出用コイル
４６、４７ 両端
４８ 負荷抵抗
４９ コネクタ
５０ 出力線路
５１ 検出回路
５２ 完成品
５３ 固定側柄部の先端
５４ 側縁
５５ 凹部
５６ 嵌め通し用溝の内端
５７ 嵌め通し用溝の外端
【図１】
0004404274.tif 000002
【図２】
0004404274.tif 000003
【図３】
0004404274.tif 000004
【図４】
0004404274.tif 000005
【図５】
0004404274.tif 000006
【図６】
0004404274.tif 000007
【図７】
0004404274.tif 000008
【図８】
0004404274.tif 000009
【図９】
0004404274.tif 000010
【図１０】
0004404274.tif 000011